(57)【要約】ユニキャストサービス及びブロードキャスト／マルチキャストサービス（ＭＢＭＳ）の多重モードにおいてパイロット信号をマッピングするための方法が開示される。その方法は、ユニキャストサービス及びＭＢＭＳサービスのためのパイロットシンボルをそれぞれ生成するステップ、１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で所定数のサブキャリア及び時間領域で所定数の直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともにユニキャストサービスのためのパイロットシンボルを同時にマッピングするステップを備える。
2010530674.tif 000002
【特許請求の範囲】
【請求項１】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で１サブキャリア及び時間領域で４直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの１列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項２】
請求項１の方法であって、さらに、パイロットシンボルがサブフレーム内にマッピングされないサブキャリアに、データシンボルを挿入するステップを備える方法。
【請求項３】
請求項１の方法において、前記複数の送信アンテナの数が２である、方法。
【請求項４】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で２サブキャリア及び時間領域で２直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの１列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項５】
請求項４の方法であって、さらに、パイロットシンボルがサブフレーム内にマッピングされないサブキャリアに、データシンボルを挿入するステップを備える方法。
【請求項６】
請求項４の方法において、前記複数の送信アンテナの数が２である、方法。
【請求項７】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で１サブキャリア及び時間領域で３直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの２列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項８】
請求項７の方法であって、さらに、パイロットシンボルがサブフレーム内にマッピングされないサブキャリアに、データシンボルを挿入するステップを備える方法。
【請求項９】
請求項７の方法において、前記複数の送信アンテナの数が２である、方法。
【請求項１０】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で２サブキャリア及び時間領域で２直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの２列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項１１】
請求項１０の方法であって、さらに、パイロットシンボルがサブフレーム内にマッピングされないサブキャリアに、データシンボルを挿入するステップを備える方法。
【請求項１２】
請求項１０の方法において、前記複数の送信アンテナの数が２である、方法。
【請求項１３】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で１サブキャリア及び時間領域で３直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの３列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項１４】
請求項１３の方法であって、さらに、パイロットシンボルがサブフレーム内にマッピングされないサブキャリアに、データシンボルを挿入するステップを備える方法。
【請求項１５】
請求項１３の方法において、前記複数の送信アンテナの数が２である、方法。
【請求項１６】
ユニキャストサービス及びブロードキャスト／マルチキャストサービス（ＭＢＭＳ）の多重モードにおいてパイロット信号をマッピングするための方法であって、
該ユニキャストサービス及び該ＭＢＭＳサービスのためのパイロットシンボルをそれぞれ生成するステップ、
１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で２サブキャリア及び時間領域で３直交周波数分割多重（ＯＦＤＭ）シンボルだけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするステップであって、該ユニキャストサービスのための制御チャネルがＯＦＤＭシンボルの３列を占有している、ステップ、
該ユニキャスト及びＭＢＭＳサービスのためのパイロットシンボルを時分割多重し、それらを該複数の送信アンテナを介して送信するステップ、及び
受信側で、該パイロット信号を受信し、該受信パイロット信号に基づいて、該ユニキャスト及びＭＢＭＳサービスのためのチャネル推定をそれぞれ実行するステップ
を備える方法。
【請求項１７】
請求項１６の方法であって、さらに、パイロットシンボルがサブフレーム内にマッピングされないサブキャリアに、データシンボルを挿入するステップを備える方法。
【請求項１８】
請求項１６の方法において、前記複数の送信アンテナの数が２である、方法。
【請求項１９】
ユニキャストサービス及びブロードキャスト／マルチキャストサービス（ＭＢＭＳ）の多重モードにおいてパイロット信号をマッピングするための装置であって、
該ユニキャストサービス及び該ＭＢＭＳサービスのためのパイロットシンボルを生成するためのパイロットシンボル生成器、
複数の送信アンテナに対して、該パイロットシンボル生成器から供給されたパイロットシンボルに基づいて、ユニキャストサービスのチャネル推定のためのパイロットシンボルをマッピングするためのユニキャストパイロットシンボルテンプレート生成器、
該パイロットシンボル生成器から供給されたパイロットシンボルに基づいて、１サブフレームにおいて、各アンテナに対する該ＭＢＭＳサービスのためのパイロットシンボルが同じ時間領域において互いに隣接して配列され、同じ送信アンテナに対する該ＭＢＭＳサービスのためのパイロットシンボルが周波数領域で所定のサブキャリア数及び時間領域で所定の直交周波数分割多重（ＯＦＤＭ）シンボル数だけ互いから間隔をあけられ、同じ送信アンテナに対する該ＭＢＭＳサービスのためのパイロットシンボルが時間領域に沿って互い違いに配列されるように、該ＭＢＭＳサービスのためのパイロットシンボルを複数の送信アンテナにマッピングするとともに、該ユニキャストサービスのためのパイロットシンボルを同時にマッピングするためのＭＢＭＳパイロットシンボルテンプレート生成器、及び
該ユニキャスト及びＭＢＭＳサービスのためのパイロットシンボルを時分割多重するためのパイロット信号合成器
を備えた装置。
【請求項２０】
請求項１９の装置において、前記ユニキャストサービスのための制御チャネルが少なくともＯＦＤＭシンボルの１列又は最大でＯＦＤＭシンボルの３列を占有するものである、装置。
【請求項２１】
請求項１９又は２０の装置であって、さらに、データシンボルを生成するためのデータシンボル生成器を備え、前記サブフレーム内にパイロットシンボルがマッピングされないサブキャリアに該データシンボルが挿入される、装置。
【発明の詳細な説明】
【技術分野】
【０００１】
本発明は、ユニキャストサービス及びブロードキャスト／マルチキャストサービスの多重モードにおいてパイロット信号をマッピングするための方法及び装置に関し、特に、マルチアンテナシステムにおいてユニキャストサービス及びブロードキャスト／マルチキャストサービスのためのパイロット信号をユニキャストサービス及びブロードキャスト／マルチキャストサービスの多重モードでマッピングするための方法及び装置であって、それによりマルチ送信アンテナシステムに適したパイロット信号を提供し、データスループットを向上し、より高い性能ゲインを達成することができるような方法及び装置に関する。
【背景技術】
【０００２】
３ＧＰＰ（第３世代パートナーシッププロジェクト）は２００５年にＬＴＥ（ロングタームエボリューション）を立ち上げ、それはより高いデータスループット及びより良いネットワーク性能でのオペレータ及び加入者からの増大する要件に対するサポートを提供することを目的とする。
【０００３】
ＭＢＭＳ（マルチメディアブロードキャスト／マルチキャストサービス）は、単一のデータ源から複数の加入者にデータを送信する一対多ポイントサービスとして、ネットワーク（コアネットワーク及びアクセスネットワークを含む）リソースを共有して同一の要件を持つより多くのマルチメディア加入者に、より少ないリソースでサービスを提供するように、３ＧＰＰ  Ｒｅｌ.６において導入される。無線アクセスネットワークにおいて、ＭＢＭＳサービスは、公衆伝送チャネル及び公衆無線ベアラを用いることによって、メッセージタイプの純テキストといった低いレートのマルチキャスト及びブロードキャスト並びにモバイルＴＶフォンのようなマルチメディアサービスの高いレートのマルチキャスト及びブロードキャストの両方を実施する。
【０００４】
現在、３ＧＰＰは単一アンテナでのユニキャストサービス及びブロードキャスト／マルチキャストサービスのためにそれぞれのパイロット信号マッピング方法、即ち、単一のアンテナを介してパイロット信号を送信するための方法を開発してきた。
【０００５】
ＬＴＥはエンハンストＭＢＭＳサービス（Ｅ−ＭＢＭＳ）のサポートを推奨する。Ｅ−ＭＢＭＳはユニキャストサービスでキャリアを共有でき、個別のキャリア、即ち、個別の大きなセルカバレッジモードを用いることもできる。ユニキャスト及びＭＢＭＳサービスのコンパクトな統合によって加入者に更に効率的な態様でサービスを提供することができる。
【０００６】
既存のプロトコルでは、Ｅ−ＭＢＭＳに関連するパイロット信号は単一の送信アンテナに対してマッピングされる。Ｅ−ＭＢＭＳ及びユニキャストサービスのＴＤＭ（時分割多重）の場合では、２つのタイプのパイロット信号がＥ−ＭＢＭＳサブフレーム内に配置され、一方のタイプはＥ−ＭＢＭＳチャネル推定用に使用され、他方のタイプはチャネル復号を制御するためのユニキャストサービスパイロットシンボル用に使用される。現在では、パイロットテンプレートが、ユニキャストサービス及びＥ−ＭＢＭＳの混在する共存を考慮して単一の送信アンテナの状況に基づいて各々指定される。即ち、２つのタイプのサービスがサブフレームレベルで時分割多重化される。しかし、マルチ送信アンテナに基づくパイロット信号マッピングはＥ−ＭＢＭＳ及びユニキャストサービスのＴＤＭの場合では検討されてこなかった。
【０００７】
２以上の送信アンテナがある場合に、受信側でそれぞれのチャネル推定が受信パイロット信号に基づいてＥ−ＭＢＭＳ及びユニキャストサービス双方について実行されるように、どのようにパイロット信号をＥ−ＭＢＭＳサブフレームにおいて設定してそれらを送信アンテナにマッピングするかについての提案は未だない。
【発明の概要】
【課題を解決するための手段】
【０００８】
本発明の課題は、Ｅ−ＭＢＭＳサービス及びユニキャストサービスの時分割多重モードでパイロット信号を生成するための方法及び装置であって、受信側が受信パイロット信号に基づいてＥ−ＭＢＭＳサービス及びユニキャストサービスそれぞれについてチャネル推定を実行できるように２つのタイプのパイロット信号を複数の送信アンテナにマッピングしてパイロット信号を送信するものを提供することである。
【０００９】
上記の課題を達成するために、本発明の側面はユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で１サブキャリア及び時間領域で４直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの１列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１０】
本発明の他の側面は、ユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で２サブキャリア及び時間領域で２直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの１列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１１】
本発明の更なる側面は、ユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で１サブキャリア及び時間領域で３直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの２列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１２】
本発明の更なる側面は、ユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で２サブキャリア及び時間領域で２直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの２列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１３】
本発明の更なる側面は、ユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で１サブキャリア及び時間領域で３直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの３列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１４】
本発明の更なる側面は、ユニキャストサービス及びマルチメディアブロードキャスト／マルチキャストサービス（ＭＢＭＳ）の多重モードにおいてパイロット信号をマッピングするための方法を提供することである。その方法は、
ユニキャストサービス及びＭＢＭＳサービスのためのパイロットシンボルをそれぞれ生成するステップ、
１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で２サブキャリア及び時間領域で３直交周波数分割多重（ＯＦＤＭ）シンボルだけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするステップであって、ユニキャストサービスのための制御チャネルがＯＦＤＭシンボルの３列を占有している、ステップ、
ユニキャスト及びＭＢＭＳサービスのためのパイロットシンボルを時分割多重し、それらを複数の送信アンテナを介して送信するステップ、及び
受信側で、パイロット信号を受信し、受信パイロット信号に基づいて、ユニキャスト及びＭＢＭＳサービスのためのチャネル推定をそれぞれ実行するステップ
を備える。
【００１５】
本発明の更なる側面は、  ユニキャストサービス及びブロードキャスト／マルチキャストサービス（ＭＢＭＳ）の多重モードにおいてパイロット信号をマッピングするための装置を提供することである。その装置は、
ユニキャストサービス及びＭＢＭＳサービスのためのパイロットシンボルを生成するためのパイロットシンボル生成器、
複数の送信アンテナに対して、パイロットシンボル生成器から供給されたパイロットシンボルに基づいて、ユニキャストサービスのチャネル推定のためのパイロットシンボルをマッピングするためのユニキャストパイロットシンボルテンプレート生成器、
パイロットシンボル生成器から供給されたパイロットシンボルに基づいて、１サブフレームにおいて、各アンテナに対するＭＢＭＳサービスのためのパイロットシンボルが同じ時間領域において互いに隣接して配列され、同じ送信アンテナに対するＭＢＭＳサービスのためのパイロットシンボルが周波数領域で所定のサブキャリア数及び時間領域で所定の直交周波数分割多重（ＯＦＤＭ）シンボル数だけ互いから間隔をあけられ、同じ送信アンテナに対するＭＢＭＳサービスのためのパイロットシンボルが時間領域に沿って互い違いに配列されるように、ＭＢＭＳサービスのためのパイロットシンボルを複数の送信アンテナにマッピングするとともに、ユニキャストサービスのためのパイロットシンボルを同時にマッピングするためのＭＢＭＳパイロットシンボルテンプレート生成器、及び
ユニキャスト及びＭＢＭＳサービスのためのパイロットシンボルを時分割多重するためのパイロット信号合成器
を備える。
【００１６】
本発明のマルチ送信アンテナシステムにパイロット信号をマッピングするための方法によると、受信側が受信パイロット信号に基づいてユニキャスト及びＭＢＭＳサービスそれぞれについてのチャネル推定を実行できる。
本発明の上記及び他の課題、特徴及び有利な効果は図面を参照して以降の好ましい実施例の記載からより明らかとなる。
【図面の簡単な説明】
【００１７】
【図１ａ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図１ｂ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図１ｃ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図１ｄ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図１ｅ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図１ｆ】本発明の種々の実施例による、Ｅ−ＭＢＭＳ及びユニキャストサービスの多重モードにおいて複数の送信アンテナにパイロット信号をマッピングするためのそれぞれの配列を示す概略図である。
【図２】図２は本発明の実施例による、ユニキャスト及びブロードキャスト／マルチキャストパイロット信号をマッピングするための装置のブロック図である。
【図３】図３は本発明の実施例による、ユニキャスト及びブロードキャスト／マルチキャストパイロット信号をサブフレームにマッピングするための方法のフローチャートである。
【図４】図４は本発明の実施例による、ユニキャスト及びＭＢＭＳサービスの多重モードにおいて複数の送信アンテナにパイロット信号をマッピングするための方法のフローチャートである。
【図５】図５ａ及び５ｂはそれぞれ本発明の実施例によってマッピングされたパイロット信号によって得られるブロックエラーレート（ＢＬＥＲ）及びデータスループットを示す概略図である。
【図６】図６ａ及び６ｂはそれぞれ本発明の実施例によってマッピングされたパイロット信号によって得られるＢＬＥＲ及びデータスループットを示す概略図である。
【図７】図７ａ及び７ｂはそれぞれ本発明の実施例によってマッピングされたパイロット信号によって得られるＢＬＥＲ及びデータスループットを示す概略図である。
【発明を実施するための形態】
【００１８】
本発明の好ましい実施例の詳細な説明が図面との関連において以下に与えられる。説明では、本発明の上記の課題、特徴及び有利な効果が不明瞭とならないように本発明に不要な詳細及び機能は省略されている。
【００１９】
マルチメディアブロードキャスト単一周波数ネットワーク（ＭＢＳＦＮ）チャネルの１６.６７μｓの長いサイクリックプレフィクス（ＣＰ）から得られる高い周波数選択性に起因して、パイロットサブキャリア間隔はユニキャストにおけるよりも小さい。
【００２０】
従来技術では、Ｅ−ＭＢＭＳサブフレームのせいぜい最初の３個のＯＦＤＭシンボルがユニキャストのためのダウンリンク（ＤＬ）Ｌ１／Ｌ２制御チャネルとして使用される。この観点で、本発明は、最初のＯＦＤＭシンボル、最初の２個のＯＦＤＭシンボル及び最初の３個のＯＦＤＭシンボルがユニキャストにおけるＤＬＬ１／Ｌ２制御チャネルとして使用されるような異なる状況についてマルチアンテナ環境でマルチキャストに対してパイロット信号をマッピングするための種々の方法を提案する。
【００２１】
さらに、ユニキャストのためのパイロット信号のマッピングパターンはマルチアンテナ環境で固定される。図１ａから１ｆに示すように、２本のアンテナ環境では、ユニキャストにおけるアンテナ１に対するパイロットシンボルｕ１及びアンテナ２に対するパイロットシンボルｕ２は、シンボルｕ１、ｕ２が互いに間隔をおくようにして、単一の間隔ｓ１でそれぞれ異なるサブキャリアにマッピングされる。パイロットシンボルｕ１、ｕ２の各対間のサブキャリアの数は一定に保たれ、例えば、図１ａに示すようにｕ１とｕ２の間に２個のサブキャリアがある。
【００２２】
Ｅ−ＭＢＭＳ及びユニキャストサービスの時分割多重モードにおいて複数の送信アンテナにパイロット信号をマッピングする種々の実施例を、図１ａから１ｆを参照して説明する。ここでは横軸は時間領域を表し、縦軸は周波数領域を表す。各ＴＴＩは２つのタイムスロットを含むことができる単一のサブフレームを表す。各サブフレームは複数の間隔に分割され、その各々は１つのＯＦＤＭシンボルと時間の長さが等しい。本実施例では、各サブフレームは、左から右に続くｓ１、ｓ２、ｓ３・・・ｓ１０、ｓ１１及びｓ１２のような１２個の間隔を含むことができる。間隔は、周波数領域で上から下に続くｆ１、ｆ２、ｆ３・・・のような異なる周波数においてサブキャリアに対応する。図１ａから１ｆでは、各ブロックは時間領域では１つのＯＦＤＭシンボルを、周波数領域では１つのサブキャリアを表す。
【００２３】
図１ａから１ｆでは、「縦縞」パターンはユニキャスト用にアンテナ１にマッピングされるパイロット信号ｕ１を表し、「格子」パターンはユニキャスト用にアンテナ２にマッピングされるパイロット信号ｕ２を表し、「右上り斜線」パターンはブロードキャスト／マルチキャスト用にアンテナ１にマッピングされるパイロット信号Ｍ１を表し、「右下り斜線」パターンはブロードキャスト／マルチキャスト用にアンテナ２にマッピングされるパイロット信号Ｍ２を表す。図１ａから１ｆにおいて空白ブロックはデータが満たされるべき場所を示す。
【００２４】
なお、本発明の実施例では２つのアンテナが、それらのアンテナにパイロット信号をマッピングするための方法を例示するために例として取り挙げられる。当業者には、本発明が特定の例に限定されず、本発明の基本的な考え方は２以上のアンテナを持つあらゆるマルチ送信アンテナシステムに適用できることが分かるはずである。
【００２５】
ここで、パイロット信号マッピングの第１の実施例を図示する図１ａを参照する。図１ａは単一サブフレーム内のパイロット信号マッピングのための配列を示す。ユニキャスト用のＤｌＬ１／Ｌ２制御チャネルは、図１ａに示すように時間領域で左から右の方向に沿う最初の間隔を占有する。アンテナ１に対するパイロットシンボルｕ１及びアンテナ２に対するパイロットシンボルｕ２は、シンボルｕ１、ｕ２が互いに間隔をおくようにして、単一の間隔ｓ１でそれぞれ異なるサブキャリアにマッピングされる。パイロットシンボルｕ１、ｕ２の各対間のサブキャリアの数は一定に保たれ、例えば、図１ａに示すようにｕ１とｕ２の間に２個のサブキャリアがある。
【００２６】
そして、制御チャネルの直後に、Ｅ−ＭＢＭＳにおけるアンテナ１に対するパイロットシンボルＭ１及びアンテナ２に対するパイロットシンボルＭ２がサブフレームに個別にマッピングされる。図１ａに示すように、アンテナ１に対するパイロットシンボルＭ１は周波数領域方向に沿って１サブキャリアの間隔があけられる。即ち、パイロットシンボルＭ１は２サブキャリアの周期を有する。アンテナ２に対するパイロットシンボルＭ２も周波数領域方向に沿って１サブキャリアの間隔があけられ、即ち、パイロットシンボルＭ２も２サブキャリアの周期を有する。さらに、アンテナ１に対するパイロットシンボルＭ１及びアンテナ２に対するパイロットシンボルＭ２は単一の間隔ｓにマッピングされ互いに隣接している。各アンテナに対するパイロットシンボルは時間領域方向に４ＯＦＤＭシンボルの間隔があけられる。即ち、各アンテナに対するパイロットシンボルは時間領域方向に５ＯＦＤＭシンボルの周期を有する。同一のアンテナに対するパイロットシンボルは時間領域について互い違いに配列される。
【００２７】
具体的には、図１ａに示すサブフレームでは、パイロットシンボルＭ１及びＭ２は間隔ｓ２において互いに隣接してマッピングされ、即ち、Ｍ１及びＭ２は周波数領域で互いに隣接する。そしてパイロットシンボルＭ１及びＭ２は間隔ｓ２から４間隔離れた間隔ｓ７において互いに隣接してマッピングされる。同一のアンテナに対するパイロットシンボルは時間領域において互い違いに配列される。即ち、アンテナ１に対するパイロットシンボルＭ１は互い違いに間隔ｓ２及びｓ７にマッピングされる。同様に、アンテナ２に対するパイロットシンボルＭ２は互い違いに間隔ｓ２及びｓ７にマッピングされる。そして、パイロットシンボルＭ１及びＭ２は間隔ｓ７から４間隔離れた間隔ｓ１１に互いに隣接してマッピングされる。同一のアンテナに対するパイロットシンボルは間隔ｓ７及びｓ１１に互い違いに配列される。このように、Ｅ−ＭＢＭＳに対するパイロットシンボルは２つのアンテナに対して１つのサブフレームにマッピングされる。
【００２８】
従って、Ｅ−ＭＢＭＳ及びユニキャストサービスの時分割多重モードにおいてパイロット信号を１つのサブフレーム内にマッピングするプロセスが完了し、ＴＴＩが形成される。次のフレーム内にＥ−ＭＢＭＳ及びユニキャストサービス用のパイロット信号をマッピングするプロセスは上記のプロセスと同一である。
【００２９】
Ｅ−ＭＢＭＳ及びユニキャストサービスの時分割多重モードにおけるパイロット信号マッピングの第２の実施例を図示する図１ｂを参照する。図１ｂは単一サブフレーム内でのパイロット信号マッピングのための配列を示す。ユニキャスト用のＤＬＬ１／Ｌ２制御チャネルは、図１ｂに示すように時間領域で左から右の方向に沿う最初の間隔を占有する。ここで、ユニキャスト用のパイロット信号は第１の実施例と同じ態様でマッピングされる。説明の簡明化のため、第１の実施例と同じ内容の記載は省略する。
【００３０】
制御チャネルの直後に、Ｅ−ＭＢＭＳにおけるアンテナ１に対するパイロットシンボルＭ１及びアンテナ２に対するパイロットシンボルＭ２はサブフレームに個別にマッピングされる。図１ｂに示すように、アンテナ１に対するパイロットシンボルＭ１は周波数領域方向に沿って２サブキャリアの間隔があけられる。即ち、パイロットシンボルＭ１は３サブキャリアの周期を有する。アンテナ２に対するパイロットシンボルＭ２も２サブキャリアの間隔があけられ、即ち、パイロットシンボルＭ２も３サブキャリアの周期を有する。さらに、アンテナ１に対するパイロットシンボルＭ１及びアンテナ２に対するパイロットシンボルＭ２は単一の間隔ｓに互いに隣接してマッピングされ、隣接するパイロットシンボルＭ１、Ｍ２の各対は、図１ｂの空白間隔として示すように、１サブキャリアの間隔があけられる。各アンテナに対するパイロットシンボルは時間領域方向で２ＯＦＤＭシンボルの間隔があけられる。即ち、各アンテナに対するパイロットシンボルは時間領域方向で３ＯＦＤＭシンボルの周期を有する。同一のアンテナに対するパイロットシンボルは時間領域において互い違いに配列される。
【００３１】
具体的には、図１ｂに示すサブフレームでは、アンテナ１に対するパイロットシンボルＭ１は３サブキャリアの周期で間隔ｓ２にマッピングされ、アンテナ２に対するパイロットシンボルＭ２は３サブキャリアの周期でパイロットシンボルＭ１に隣接してそれぞれマッピングされる。この態様では、周波数領域で互いに隣接するパイロットシンボルＭ１及びＭ２はパイロットシンボルのセットを形成することができ、各セットは周波数領域で１サブキャリアだけ他のセットから間隔をあけられている。同様に、パイロットシンボルＭ１及びＭ２は間隔ｓ２から２間隔（ＯＦＤＭシンボル）離れた間隔ｓ５にそれぞれ３サブキャリアの周期（即ち、３ＯＦＤＭシンボルの周期）でマッピングされる。同一のアンテナに対するパイロットシンボルは時間領域で互い違いに配列される。即ち、アンテナ１に対するパイロットシンボルＭ１は間隔ｓ２及びｓ５に互い違いにマッピングされる。同様に、アンテナ２に対するパイロットシンボルＭ２は間隔ｓ２及びｓ５に互い違いにマッピングされる。パイロットシンボルＭ１及びＭ２はその後、間隔ｓ５から２間隔離れた間隔ｓ８において間隔ｓ２と同様にしてマッピングされる。同一のアンテナに対するパイロットシンボルは間隔ｓ５及びｓ８に互い違いに配列される。最後に、パイロットシンボルＭ１及びＭ２は、間隔ｓ８から２間隔離れた間隔ｓ１１において間隔ｓ５と同様にしてマッピングされる。同一のアンテナに対するパイロットシンボルは間隔ｓ８及びｓ１１に互い違いに配列される。このように、Ｅ−ＭＢＭＳに対するパイロットシンボルは２つのアンテナに対して１つのサブフレームにマッピングされる。
【００３２】
そして、Ｅ−ＭＢＭＳ及びユニキャストサービスの時分割多重モードにおいて１つのサブフレーム内でパイロット信号をマッピングするプロセスが完了し、ＴＴＩが形成される。次のサブフレーム内にＥ−ＭＢＭＳ及びユニキャストサービスに対するパイロット信号をマッピングするプロセスは上記プロセスと同一である。
【００３３】
Ｅ−ＭＢＭＳ及びユニキャストサービスの時分割多重モードにおけるパイロット信号マッピングの第３の実施例を図示する図１ｃを参照する。図１ｃは単一のサブフレーム内でのパイロット信号マッピングのための配列を示す。ユニキャスト用のＤＬＬ１／Ｌ２制御チャネルは図１ｃに示すように時間領域で左から右の方向に沿う最初の２間隔を占有する。ここで、ユニキャスト用のパイロット信号は第１の実施例と同じ態様でマッピングされる。説明の簡明化のため、上記実施例と同じ内容の記載は省略する。
【００３４】
制御チャネルの直後に、Ｅ−ＭＢＭＳにおけるアンテナ１に対するパイロットシンボルＭ１及びアンテナ２に対するパイロットシンボルＭ２がサブフレームに別個にマッピングされる。図１ｃに示すように、アンテナ１に対するパイロットシンボルＭ１は周波数領域方向に沿って１サブキャリアの間隔があけられる。即ち、パイロットシンボルＭ１は２サブキャリアの周期を有する。アンテナ２に対するパイロットシンボルＭ２も１サブキャリアの間隔があけられ、即ち、パイロットシンボルＭ２も２サブキャリアの周期を有する。さらに、アンテナ１に対するパイロットシンボルＭ１及びアンテナ２に対するパイロットシンボルＭ２は単一の間隔ｓにおいて互いに隣接してマッピングされる。各アンテナに対するパイロットシンボルは時間領域方向に３ＯＦＤＭシンボルの間隔があけられる。即ち、各アンテナに対するパイロットシンボルは時間領域方向に４ＯＦＤＭシンボルの周期を有する。同一のアンテナに対するパイロットシンボルは時間領域で互い違いに配列される。
【００３５】
具体的には、図１ｃに示すように各サブフレームにおいてパイロットシンボルＭ１及びＭ２をマッピングするプロセスにおいて、パイロットシンボルＭ１及びＭ２は時間領域に４ＯＦＤＭシンボルの周期でマッピングされる。パイロットシンボルＭ１及びＭ２は周波数領域でそれぞれ間隔ｓ３、ｓ６及びｓ１１に互いに隣接してマッピングされる。即ち、Ｍ１及びＭ２は周波数領域で隣接している。第３の実施例では、パイロットシンボルＭ１及びＭ２は周波数領域で第１の実施例と同様にそれぞれの間隔にマッピングされるので、その説明は省略する。簡単に説明すると、第３の実施例では、パイロットシンボルＭ１及びＭ２は間隔ｓ３、ｓ６及びｓ１１にそれぞれマッピングされる。このように、Ｅ−ＭＢＭＳ用のパイロットシンボルは２つのアンテナに対して１つのサブフレームでマッピングされる。
【００３６】
そして、Ｅ−ＭＢＭＳ及びユニキャストサービスの時分割多重モードにおいて１フレーム内にパイロット信号をマッピングするプロセスは完了し、ＴＴＩが形成される。次のサブフレーム内にＥ−ＭＢＭＳ及びユニキャストサービス用のパイロット信号をマッピングするプロセスは上記プロセスと同一である。
【００３７】
Ｅ−ＭＢＭＳ及びユニキャストサービスの時分割多重モードにおけるパイロット信号マッピングの第４の実施例を図示する図１ｄを参照する。図１ｄは単一のサブフレーム内でのパイロット信号マッピングのための配列を示す。ユニキャスト用のＤＬＬ１／Ｌ２制御チャネルは図１ｄに示すように時間領域で左から右の方向に沿う最初の２間隔を占有する。ここで、ユニキャスト用のパイロット信号は第１の実施例と同じ態様でマッピングされる。説明の簡明化のため、上記実施例と同じ内容の記載は省略する。
【００３８】
制御チャネルの直後に、Ｅ−ＭＢＭＳにおけるアンテナ１に対するパイロットシンボルＭ１及びアンテナ２に対するパイロットシンボルＭ２がサブフレームに別個にマッピングされる。図１ｄに示すように、アンテナ１に対するパイロットシンボルＭ１は周波数領域方向に沿って２サブキャリアの間隔があけられる。即ち、パイロットシンボルＭ１は３サブキャリアの周期を有する。アンテナ２に対するパイロットシンボルＭ２も周波数領域方向に沿って２サブキャリアの間隔があけられ、即ち、パイロットシンボルＭ２も３サブキャリアの周期を有する。さらに、アンテナ１に対するパイロットシンボルＭ１及びアンテナ２に対するパイロットシンボルＭ２は単一の間隔ｓにおいて互いに隣接してマッピングされ、図１ｄに空白間隔として示すように隣接パイロットシンボルＭ１及びＭ２の各対は他の対から１サブキャリアの間隔があけられる。各アンテナに対するパイロットシンボルは時間領域方向に２ＯＦＤＭシンボルの間隔があけられる。即ち、各アンテナに対するパイロットシンボルは時間領域方向に３ＯＦＤＭシンボルの周期を有する。同一のアンテナに対するパイロットシンボルは時間領域で互い違いに配列される。
【００３９】
具体的には、図１ｄに示すように、パイロットシンボルＭ１及びＭ２は第２の実施例と同様にそれぞれの間隔にマッピングされる。（第２の実施例の）Ｅ−ＭＢＭＳ用のパイロットシンボルが１ＯＦＤＭシンボルだけ左側にずれている点、即ち、（第４の実施例の）パイロットシンボルＭ１及びＭ２が間隔ｓ３、ｓ６、ｓ９及びｓ１２にそれぞれマッピングされる点で、第４の実施例におけるＥ−ＭＢＭＳ用パイロットシンボルのマッピングは第２の実施例におけるものと異なる。このように、Ｅ−ＭＢＭＳ用のパイロットシンボルは２つのアンテナに対して１つのサブフレームにマッピングされる。
【００４０】
そして、Ｅ−ＭＢＭＳ及びユニキャストサービスの時分割多重モードにおいて１フレーム内にパイロット信号をマッピングするプロセスは完了し、ＴＴＩが形成される。次のサブフレーム内にＥ−ＭＢＭＳ及びユニキャストサービス用のパイロット信号をマッピングするプロセスは上記プロセスと同一である。
【００４１】
Ｅ−ＭＢＭＳ及びユニキャストサービスの時分割多重モードにおけるパイロット信号マッピングの第５の実施例を図示する図１ｅを参照する。図１ｅは単一のサブフレーム内でのパイロット信号マッピングのための配列を示す。ユニキャスト用のＤＬＬ１／Ｌ２制御チャネルは図１ｅに示すように時間領域で左から右の方向に沿う最初の３間隔を占有する。ここで、ユニキャスト用のパイロット信号は第１の実施例と同じ態様でマッピングされる。説明の簡明化のため、上記実施例と同じ内容の記載は省略する。
【００４２】
制御チャネルの直後に、Ｅ−ＭＢＭＳにおけるアンテナ１に対するパイロットシンボルＭ１及びアンテナ２に対するパイロットシンボルＭ２がサブフレームに別個にマッピングされる。図１ｅに示すように、アンテナ１に対するパイロットシンボルＭ１は周波数領域方向に沿って１サブキャリアの間隔があけられる。即ち、パイロットシンボルＭ１は２サブキャリアの周期を有する。アンテナ２に対するパイロットシンボルＭ２も１サブキャリアの間隔があけられ、即ち、パイロットシンボルＭ２も２サブキャリアの周期を有する。さらに、アンテナ１に対するパイロットシンボルＭ１及びアンテナ２に対するパイロットシンボルＭ２は単一の間隔ｓにおいて互いに隣接してマッピングされる。各アンテナに対するパイロットシンボルは時間領域方向に３ＯＦＤＭシンボルの間隔があけられる。即ち、各アンテナに対するパイロットシンボルは時間領域方向に４ＯＦＤＭシンボルの周期を有する。同一のアンテナに対するパイロットシンボルは時間領域で互い違いに配列される。
【００４３】
具体的には、図１ｅに示すように各サブフレームにおいてパイロットシンボルＭ１及びＭ２をマッピングするプロセスにおいて、パイロットシンボルＭ１及びＭ２は時間領域に４ＯＦＤＭシンボルの周期でマッピングされる。パイロットシンボルＭ１及びＭ２は周波数領域でそれぞれ間隔ｓ４、ｓ７及びｓ１２に互いに隣接してマッピングされる。即ち、Ｍ１及びＭ２は周波数領域で隣接している。第５の実施例では、パイロットシンボルＭ１及びＭ２は周波数領域で第３の実施例と同様にそれぞれの間隔にマッピングされる。（第３の実施例の）Ｅ−ＭＢＭＳ用のパイロットシンボルが１ＯＦＤＭシンボルだけ左側にずれている点、即ち、（第５の実施例の）パイロットシンボルＭ１及びＭ２が間隔ｓ４、ｓ７及びｓ１２にそれぞれマッピングされる点で、第５の実施例におけるＥ−ＭＢＭＳ用パイロットシンボルのマッピングは第３の実施例におけるものと異なる。このように、Ｅ−ＭＢＭＳ用のパイロットシンボルは２つのアンテナに対して１つのサブフレームにマッピングされる。
【００４４】
そして、Ｅ−ＭＢＭＳ及びユニキャストサービスの時分割多重モードにおいて１フレーム内にパイロット信号をマッピングするプロセスは完了し、ＴＴＩが形成される。次のサブフレーム内にＥ−ＭＢＭＳ及びユニキャストサービス用のパイロット信号をマッピングするプロセスは上記プロセスと同一である。
【００４５】
Ｅ−ＭＢＭＳ及びユニキャストサービスの時分割多重モードにおけるパイロット信号マッピングの第６の実施例を図示する図１ｆを参照する。図１ｆは単一のサブフレーム内でのパイロット信号マッピングのための配列を示す。ユニキャスト用のＤＬＬ１／Ｌ２制御チャネルは図１ｆに示すように時間領域で左から右の方向に沿う最初の３間隔を占有する。ここで、ユニキャスト用のパイロット信号は第１の実施例と同じ態様でマッピングされる。説明の簡明化のため、上記実施例と同じ内容の記載は省略する。
【００４６】
制御チャネルの直後に、Ｅ−ＭＢＭＳにおけるアンテナ１に対するパイロットシンボルＭ１及びアンテナ２に対するパイロットシンボルＭ２がサブフレームに別個にマッピングされる。図１ｆに示すように、アンテナ１に対するパイロットシンボルＭ１は周波数領域方向に沿って２サブキャリアの間隔があけられる。即ち、パイロットシンボルＭ１は３サブキャリアの周期を有する。アンテナ２に対するパイロットシンボルＭ２も周波数領域方向に沿って２サブキャリアの間隔があけられ、即ち、パイロットシンボルＭ２も３サブキャリアの周期を有する。さらに、アンテナ１に対するパイロットシンボルＭ１及びアンテナ２に対するパイロットシンボルＭ２は単一の間隔ｓにおいて互いに隣接してマッピングされ、図１ｆに空白間隔として示すように隣接パイロットシンボルＭ１及びＭ２の各対は他の対から１サブキャリアの間隔があけられる。各アンテナに対するパイロットシンボルは時間領域方向に３ＯＦＤＭシンボルの間隔があけられる。即ち、各アンテナに対するパイロットシンボルは時間領域方向に４ＯＦＤＭシンボルの周期を有する。同一のアンテナに対するパイロットシンボルは時間領域で互い違いに配列される。
【００４７】
具体的には、図１ｆに示すように、パイロットシンボルＭ１及びＭ２は第２の実施例と同様にそれぞれの間隔にマッピングされる。Ｅ−ＭＢＭＳ用のパイロットシンボルＭ１、Ｍ２が第２及び第４の実施例における４個の間隔ではなく３個の間隔ｓ４、ｓ８及びｓ１２にマッピングされる点で、第６の実施例におけるＥ−ＭＢＭＳ用パイロットシンボルのマッピングは第２の実施例におけるものと異なる。このように、Ｅ−ＭＢＭＳ用のパイロットシンボルは２つのアンテナに対して１つのサブフレームにマッピングされる。
【００４８】
そして、Ｅ−ＭＢＭＳ及びユニキャストサービスの時分割多重モードにおいて１フレーム内にパイロット信号をマッピングするプロセスは完了し、ＴＴＩが形成される。次のサブフレーム内にＥ−ＭＢＭＳ及びユニキャストサービス用のパイロット信号をマッピングするプロセスは上記プロセスと同一である。
【００４９】
以上に、Ｅ−ＭＢＭＳ及びユニキャストサービスの時分割多重モードにおける複数の送信アンテナに対するユニキャスト及びＥ−ＭＢＭＳサービス用のパイロット信号マッピングの種々の実施例を記載した。その後、マルチ送信アンテナシステムはマッピングされたパイロットシンボルを送信する。受信側で、モバイルフォン、ポータブルコンピュータ、パーソナルデジタルアシスタント（ＰＤＡ）等のような移動体通信端末はパイロット信号を受信し、その端末のデバイスは受信パイロット信号に基づいてユニキャスト及びＥ−ＭＢＭＳサービスのためのチャネル推定を実行する。
【００５０】
図２に、本発明の実施例による、ユニキャスト及びブロードキャスト／マルチキャストパイロット信号をマッピングするための装置のブロック図を示す。本発明のパイロット信号マッピングのための装置は、パイロットシンボル生成器２１、ユニキャストパイロットシンボル・マッピングテンプレート生成器２２、Ｅ−ＭＢＭＳパイロットシンボル・マッピングテンプレート生成器２３及びパイロット信号合成器２４を備える。
【００５１】
ここで、本発明のパイロット信号マッピングのための装置の動作を説明する。パイロットシンボル生成器２１はユニキャスト及びＥ−ＭＢＭＳサービスのためのパイロットシンボルを生成し、生成されたパイロットシンボルをユニキャストパイロットシンボル・マッピングテンプレート生成器２２及びＥ−ＭＢＭＳパイロットシンボル・マッピングテンプレート生成器２３にそれぞれ供給する。本発明における一例として、パイロットシンボル生成器２１は標準ＱＰＳＫ変調を採用することができ、ここではＲ＝１／３である。ユニキャストパイロットシンボル・マッピングテンプレート生成器２２は、パイロットシンボル生成器２１から供給されたパイロットシンボルに基づいて、上記第１から第６の実施例に記載された方法のいずれか１つに従って２つのアンテナに対してユニキャストサービスのチャネル推定のためのパイロットシンボルをマッピングする。Ｅ−ＭＢＭＳパイロットシンボル・マッピングテンプレート生成器２３は、パイロットシンボル生成器２１から供給されたパイロットシンボルに基づいて、上記第１から第６の実施例に記載された方法のいずれか１つに従って２つのアンテナに対してユニキャストサービスのチャネル推定のためのパイロットシンボルをマッピングする。ユニキャストパイロットシンボル・マッピングテンプレート生成器２２及びＥ−ＭＢＭＳパイロットシンボル・マッピングテンプレート生成器２３によってマッピングされたパイロットシンボルはパイロット信号合成器２４に供給され、それはデータシンボル生成器（不図示）から供給されたデータと２つのアンテナにマッピングされたユニキャスト及びＥ−ＭＢＭＳサービス用パイロットシンボルを、サブフレーム内にパイロット信号を得るように多重化する。その後、得られた信号がこれらの送信アンテナを介して送信される。
【００５２】
ここで、ユニキャスト及びブロードキャスト／マルチキャストパイロット信号を１サブフレームにマッピングするプロセスを示す図３を参照する。まず、ユニキャスト及びＥ−ＭＢＭＳサービス用のパイロットシンボルがブロックａでパイロットシンボル生成器によって生成される。そして、生成されたパイロットシンボルは、上記第１から第６の実施例に記載した方法のいずれか１つに従って４本のブランチに分割される。１サブフレーム内のユニキャストサービス用のパイロットシンボルｕ１はブロックｂ１のブランチで第１のアンテナにマッピングされる。１サブフレーム内のユニキャストサービス用のパイロットシンボルｕ２はブロックｂ２のブランチで第２のアンテナにマッピングされる。１サブフレーム内のＥ−ＭＢＭＳサービス用のパイロットシンボルＭ１はブロックｃ１のブランチで第１のアンテナにマッピングされる。１サブフレーム内のＥ−ＭＢＭＳサービス用のパイロットシンボルＭ２はブロックｃ２のブランチで第２のアンテナにマッピングされる。なお、ｂ１からｃ２のブランチは並列に処理されることができる。その後、ブロックｄで、２つのアンテナにマッピングされたユニキャスト及びＥ−ＭＢＭＳサービス用のパイロットシンボルは、上記第１から第６の実施例のいずれかに記載したパイロット信号を得るように時分割多重される。次に、得られたパイロット信号は、サブフレームで送信される信号を得るために、ブロックｅにおいてデータシンボル生成器（不図示）によって生成されたデータシンボルと合成され、得られた合成信号は複数の送信アンテナを介して送信される。
【００５３】
なお、第１から第６の実施例において複数の送信アンテナにパイロット信号をマッピングするための方法間での主な相違は、Ｅ−ＭＢＭＳ用のパイロット信号のマッピング及び制御チャネルによって占有される間隔である。第１、第３及び第５の実施例（図１ａ、１ｃ及び１ｅ参照）はＥ−ＭＢＭＳ用パイロット信号のマッピングの観点で類似するものであり、それらは、Ｅ−ＭＢＭＳのチャネル推定のためのパイロット信号が１サブフレーム内で時間領域において間隔があけられるＯＦＤＭシンボル数において異なる。
【００５４】
図４に、本発明の実施例による、ユニキャスト及びＭＢＭＳサービスの多重モードにおいて複数の送信アンテナにパイロット信号をマッピングするための方法のフローチャートを示す。
【００５５】
ステップＳ４１で、ユニキャスト及びＥ−ＭＢＭＳサービスのためのパイロットシンボルが生成される。ステップＳ４２で、時分割多重されたパイロット信号を得るために、ユニキャスト及びＥ−ＭＢＭＳサービス用のパイロットシンボルが複数の送信アンテナにそれぞれマッピングされる。次に、ステップＳ４３で、ユニキャスト及びＭＢＭＳサービスの時分割多重モードにおける合成信号を得るために、サブフレームにパイロットシンボルがマッピングされないＯＦＤＭシンボルがデータシンボルで満たされる。ステップＳ４４で、合成信号が複数の送信アンテナを介して送信される。ステップＳ４５で、受信側において、ユニキャスト及びＭＢＭＳサービス用のチャネル推定が受信パイロット信号に基づいてそれぞれ実行される。
【００５６】
図５−７はそれぞれ本発明の実施例に従ってマッピングされたパイロット信号のブロックエラーレート（ＢＬＥＲ）及びデータスループットを示すブロック図である。
【００５７】
Ｅ−ＭＢＭＳのためのパイロット信号テンプレートのＢＬＥＲ性能をテストするプロセスにおいて、ＱＰＳＫ変調はＲ＝１／３で採用され、ターボチャネル符号化が利用される。ＭＩＭＯ（複数入力／複数出力）送信手法は２つのブランチによる空間分割多重技術を採用し、車載速度（in-vehicle speed）は３０ｋｍ／ｈ、１２０ｋｍ／ｈ及び３５０ｋｍ／ｈである。
【００５８】
図５ａ及び５ｂは、制御チャネルが１つの間隔を占有する場合における第１及び第２の実施例のパイロット信号マッピングテンプレートのＢＬＥＲ及びデータスループットの性能曲線を示す。図６ａ及び６ｂは、制御チャネルが２個の間隔を占有する場合における第３及び第４の実施例のパイロット信号マッピングテンプレートのＢＬＥＲ及びデータスループットの性能曲線を示す。図７ａ及び７ｂは、制御チャネルが３個の間隔を占有する場合における第５及び第６の実施例のパイロット信号マッピングテンプレートのＢＬＥＲ及びデータスループットの性能曲線を示す。
【００５９】
図５ａ及び５ｂに示すように、ユーザ機器（ＵＥ）が上記のそれぞれの速度にあるときに、第１及び第２の実施例のパイロット信号マッピングテンプレートのＢＬＥＲはＵＥの速度とともに上昇し、特に、より高いＳＮＲ（信号対ノイズ比）で良くなる。例えば、３０ｋｍ／ｈの場合と比べて、１２０ｋｍ／ｈの場合では、２つのテンプレートのＢＬＥＲはそれぞれ約０.３６ｄＢ又は０.２ｄＢのゲインを達成する。性能ゲインはＵＥ速度が増加するにつれて増加する。さらに、データスループットの観点では、第２の実施例のパイロット信号マッピングテンプレートのスループットは、ＳＮＲ＝６ｄＢで平均０.１２１Ｍｂｐｓのゲインに達し、ＳＮＲ＝８ｄＢで０.１４４Ｍｂｐｓのゲインに達する。
【００６０】
図６ａ及び６ｂに示すように、ユーザ機器（ＵＥ）が上記のそれぞれの速度にあるときに、第３及び第４の実施例のパイロット信号マッピングテンプレートのＢＬＥＲはＵＥの速度とともに上昇し、特に、より高いＳＮＲで良くなる。例えば、３０ｋｍ／ｈの場合と比べて、１２０ｋｍ／ｈの場合では、２つのテンプレートのＢＬＥＲは約０.２ｄＢのゲインをそれぞれ達成する。性能ゲインはＵＥ速度が増加するにつれて増加する。さらに、データスループットの観点では、第４の実施例のパイロット信号マッピングテンプレートのスループットは、ＳＮＲ＝６ｄＢで平均０.１４６Ｍｂｐｓのゲインに達し、ＳＮＲ＝８ｄＢで０.１５８Ｍｂｐｓのゲインに達する。
【００６１】
図７ａ及び７ｂに示すように、ユーザ機器（ＵＥ）が上記のそれぞれの速度にあるときに、第６の実施例のパイロット信号マッピングテンプレートは第５の実施例のものよりも大きいＳＮＲロスを有する。より大きい性能ロスは周波数及び時間領域における大きいパイロット間隔に起因する。ＢＬＥＲはＵＥの速度とともに上昇し、特に、より高いＳＮＲで良くなる。さらに、データスループットの観点では、第６の実施例のパイロット信号マッピングテンプレートのスループットは、第５の実施例に比べて、ＳＮＲ＝１２ｄＢで平均０.５２５Ｍｂｐｓのゲインに達する。
【００６２】
なお、本発明は前述の実施例に限定されず、他の技術分野にも拡張されることができる。本発明はパイロット信号を関与させるあらゆる設計で検討されることができ、本発明の技術的解決手段は他の関連する製品又は方法に適用されることができる。
【００６３】
本発明が好ましい実施例によって上述された。当業者であれば本発明の範囲内で本発明に対して種々の変形、代替及び付加を行うことができる。従って、本発明の範囲は上記の具体的実施例に限定されず、以下に添付する特許請求の範囲によって規定されるべきである。
【図１ａ】
2010530674.tif 000003
【図１ｂ】
2010530674.tif 000004
【図１ｃ】
2010530674.tif 000005
【図１ｄ】
2010530674.tif 000006
【図１ｅ】
2010530674.tif 000007
【図１ｆ】
2010530674.tif 000008
【図２】
2010530674.tif 000009
【図３】
2010530674.tif 000010
【図４】
2010530674.tif 000011
【図５】
2010530674.tif 000012
【図６】
2010530674.tif 000013
【図７】
2010530674.tif 000014
【国際調査報告】
2010530674.tif 000015
2010530674.tif 000016
2010530674.tif 000017
2010530674.tif 000018
2010530674.tif 000019
2010530674.tif 000020